(57)【要約】【課題】適正範囲内の力でスライドさせ得るテープカートリッジ用ドア部材を提供する。【解決手段】テープカートリッジ１のケース本体２に取り付けられてケース本体２におけるテープ引き出し口２ａを閉塞する閉塞位置からテープ引き出し口２ａを開口する開口位置までの間をケース本体２に対してスライドさせられる平板状のドア本体３１と、閉塞位置に向けてドア本体３１を付勢するばね部材８を取り付け可能にドア本体３１の側端面３１ａにおける高さ方向の上側に配設された取付部３２と、閉塞位置から開口位置に向けてドア本体３１をスライドさせるスライド手段が当接可能にドア本体３１の側端面３１ｂに配設された当接部３３とを備え、当接部３３は、側端面３１ｂにおける高さ方向の上側がばね部材８による付勢の方向に沿って最も突出するように形成されている。【選択図】図４
2005346854.tif 000002
【特許請求の範囲】
【請求項１】
テープカートリッジのケース本体に取り付けられて当該ケース本体におけるアクセス用の開口部を閉塞する閉塞位置から当該開口部を開口する開口位置までの間を当該ケース本体に対してスライドさせられる平板状のドア本体と、
前記閉塞位置に向けて前記ドア本体を付勢する付勢手段を取り付け可能に前記ドア本体の一方の側端面における高さ方向の上側および下側のいずれかの側に配設された付勢手段取付部と、
前記閉塞位置から前記開口位置に向けて前記ドア本体をスライドさせるスライド手段が当接可能に当該ドア本体の他方の側端面に配設されたスライド手段当接部とを備え、
前記スライド手段当接部は、前記他方の側端面における前記高さ方向における前記いずれかの側が前記付勢手段による前記付勢の方向に沿って最も突出するように形成されているテープカートリッジ用ドア部材。
【請求項２】
テープカートリッジのケース本体に取り付けられて当該ケース本体におけるアクセス用の開口部を閉塞する閉塞位置から当該開口部を開口する開口位置までの間を当該ケース本体に対してスライドさせられる平板状のドア本体と、
前記閉塞位置に向けて前記ドア本体を付勢する付勢手段を取り付け可能に前記ドア本体の一方の側端面における高さ方向の中央部に配設された付勢手段取付部と、
前記閉塞位置から前記開口位置に向けて前記ドア本体をスライドさせるスライド手段が当接可能に当該ドア本体の他方の側端面に配設されたスライド手段当接部とを備え、
前記スライド手段当接部は、前記他方の側端面における前記高さ方向の前記中央部が前記付勢手段による前記付勢の方向に沿って最も突出するように形成されているテープカートリッジ用ドア部材。
【請求項３】
請求項１または２記載のテープカートリッジ用ドア部材と、互いに重ね合わせ可能な上ケースおよび下ケースを有してアクセス用の前記開口部が側壁に形成された前記ケース本体と、前記テープカートリッジ用ドア部材を前記閉塞位置に向けて付勢する前記付勢手段と、ハブの周囲に磁気テープを巻回可能に形成されて前記ケース本体内に収容される単一のテープリールとを備えて構成されているテープカートリッジ。
【発明の詳細な説明】
【技術分野】
【０００１】
本発明は、ケース本体に形成された開口部（テープ引き出し口）を閉塞するテープカートリッジ用ドア部材、およびそのテープカートリッジ用ドア部材を備えて構成されたテープカートリッジに関するものである。
【背景技術】
【０００２】
この種のテープカートリッジとして、上ケースおよび下ケースを有するケース本体に形成された開口部が平板状のシャッタ（テープカートリッジ用ドア部材）によって閉塞される磁気テープカートリッジが特開平１１−３２８９２２号公報に開示されている。この場合、この磁気テープカートリッジでは、記録再生装置（テープドライブ）から取り出されている常態において、シャッタが、開口部を閉塞する閉塞位置に向けてばね部材によって付勢されている。一方、記録再生装置に磁気テープカートリッジを装填した際には、記録再生装置によってシャッタがケース本体に対してスライドさせられて開口部が開口された後に、開口部を介して磁気テープがケース本体内から引き出されて記録データの記録再生が実行される。この場合、シャッタは、開口部を閉塞するための主面壁と、ばね部材を取り付けるためのばね掛け部が形成された基端部と、記録再生装置の操作突起が当接してケース本体に対してシャッタをスライドさせるための受部とが樹脂材料で一体成形されて構成されている。
【０００３】
この磁気テープカートリッジの使用（記録データの記録再生）に際しては、記録再生装置に磁気テープカートリッジを装填する。この際には、磁気テープカートリッジが記録再生装置内に引き込まれるときに、記録再生装置に対するケース本体の移動に伴い、まず、シャッタの受部が装置内の操作突起に線的または面的に当接する。この状態で磁気テープカートリッジがさらに引き込まれることによって（磁気テープカートリッジが操作突起に対して移動させられることによって）シャッタがケース本体に対してスライドさせられて開口部が開口される。この後、テープローディング機構によってケース本体内から開口部を介して磁気テープが引き出されて、この磁気テープに対する記録データの記録再生が実行される。一方、記録再生装置からの磁気テープカートリッジの取り出しに際しては、まず、テープローディング機構によって磁気テープがケース本体内に巻き戻される。次いで、磁気テープカートリッジが記録再生装置外に排出される際に、記録再生装置に対するケース本体の移動に伴い、ばね部材によって付勢されているシャッタがケース本体に対してスライドして開口部が閉塞される。これにより、ケース本体内の磁気テープに対するアクセスが規制されて磁気テープが保護された状態となる。
【特許文献１】特開平１１−３２８９２２号公報（５−７頁、第６図）
【発明の開示】
【発明が解決しようとする課題】
【０００４】
ところが、従来の磁気テープカートリッジには、以下の問題点がある。すなわち、この磁気テープカートリッジでは、記録再生装置に装填する際に、シャッタは、その受部が操作突起に当接した状態でケース本体が記録再生装置に対して移動させられることによってケース本体に対して相対的にスライドさせられている。この場合、例えば、記録再生装置に対してケース本体が僅かに傾いた状態で装填されたときには、操作突起がシャッタの受部における高さ方向の上側または下側に点的に当接することがある。この際に、操作突起が例えばシャッタの受部における高さ方向の上側に点的に当接した状態でケース本体が装置内に引き込まれたときには、ばね部材が取り付けられている基端部（ばね掛け部）を中心としてシャッタを主面壁の壁面に沿って回動させようとする力が作用する。この際には、シャッタがケース本体に対して傾いた状態でスライドさせられることとなる。このため、シャッタは、その基端部が形成されている側端面と下端面との角部、および受け部が形成されている側端面と上端面との角部がケース本体に対して点的に接触した状態でスライドさせられる。したがって、ケース本体に対するシャッタのスライド抵抗が増大する結果、従来の磁気テープカートリッジには、シャッタのスライドに大きな力を要することがあるという問題点が存在する。
【０００５】
この場合、シャッタの傾きに起因するスライド抵抗の増大を考慮してバネレートが低いばね部材を採用することで、シャッタのスライドに要する力を十分に小さくすることが可能となる。しかし、上記のように傾いていない状態で磁気テープカートリッジが装填されたときには、シャッタをスライドさせる際に必要とされる力が必要以上に過小となる。また、この種の磁気テープカートリッジには、ケース本体に対するシャッタのスライドに要する力が０．２Ｎ以上１．３Ｎ以下の範囲内とする規格がある。この場合、スライドに要する力が０．２Ｎを下回るときには、シャッタによる開口部の閉塞が不完全となってシャッタとケース本体との間に隙間が生じることがあり、この隙間を介してケース本体内に塵埃が侵入するおそれがある。したがって、スライドに要する力が過小となる事態を回避する必要がある。一方、スライドに要する力が１．３Ｎを超えるときには、磁気テープカートリッジに不具合が生じていると記録再生装置によって判別されてその装填がキャンセルされることがある。また、スライドに要する力が過大な状態で強引にスライドさせたときには、シャッタ、ケース本体および操作突起のいずれかが破損するおそれもある。したがって、スライド抵抗が過大となる事態を回避する必要もある。
【０００６】
本発明は、かかる問題点に鑑みてなされたものであり、適正範囲内の力でスライドさせ得るテープカートリッジ用ドア部材およびテープカートリッジを提供することを主目的とする。
【課題を解決するための手段】
【０００７】
上記目的を達成すべく本発明に係るテープカートリッジ用ドア部材は、テープカートリッジのケース本体に取り付けられて当該ケース本体におけるアクセス用の開口部を閉塞する閉塞位置から当該開口部を開口する開口位置までの間を当該ケース本体に対してスライドさせられる平板状のドア本体と、前記閉塞位置に向けて前記ドア本体を付勢する付勢手段を取り付け可能に前記ドア本体の一方の側端面における高さ方向の上側および下側のいずれかの側に配設された付勢手段取付部と、前記閉塞位置から前記開口位置に向けて前記ドア本体をスライドさせるスライド手段が当接可能に当該ドア本体の他方の側端面に配設されたスライド手段当接部とを備え、前記スライド手段当接部は、前記他方の側端面における前記高さ方向における前記いずれかの側が前記付勢手段による前記付勢の方向に沿って最も突出するように形成されている。
【０００８】
また、本発明に係るテープカートリッジ用ドア部材は、テープカートリッジのケース本体に取り付けられて当該ケース本体におけるアクセス用の開口部を閉塞する閉塞位置から当該開口部を開口する開口位置までの間を当該ケース本体に対してスライドさせられる平板状のドア本体と、前記閉塞位置に向けて前記ドア本体を付勢する付勢手段を取り付け可能に前記ドア本体の一方の側端面における高さ方向の中央部に配設された付勢手段取付部と、前記閉塞位置から前記開口位置に向けて前記ドア本体をスライドさせるスライド手段が当接可能に当該ドア本体の他方の側端面に配設されたスライド手段当接部とを備え、前記スライド手段当接部は、前記他方の側端面における前記高さ方向の前記中央部が前記付勢手段による前記付勢の方向に沿って最も突出するように形成されている。
【０００９】
また、本発明に係るテープカートリッジは、上記のテープカートリッジ用ドア部材と、互いに重ね合わせ可能な上ケースおよび下ケースを有してアクセス用の前記開口部が側壁に形成された前記ケース本体と、前記テープカートリッジ用ドア部材を前記閉塞位置に向けて付勢する前記付勢手段と、ハブの周囲に磁気テープを巻回可能に形成されて前記ケース本体内に収容される単一のテープリールとを備えて構成されている。
【発明の効果】
【００１０】
本発明に係るテープカートリッジ用ドア部材およびテープカートリッジによれば、ドア本体における他方の側端面における高さ方向におけるいずれかの側（付勢手段取付部が配設されている側と同じ側）が付勢手段による付勢の方向に沿って最も突出するようにスライド手段当接部を形成したことにより、このテープカートリッジ用ドア部材を採用したテープカートリッジを記録再生装置に装填した際に、テープカートリッジ用ドア部材が、スライド手段当接部における付勢手段取付部が配設されている高さと同じ高さの部位に操作突起が当接した状態でスライドさせられる。したがって、付勢手段によって加えられているテープカートリッジ用ドア部材を回転させようとする力が、ケース本体の移動に伴ってテープカートリッジ用ドア部材に加わる力によって弱められて（または、相殺されて）、ケース本体に対して傾かせることなく、テープカートリッジ用ドア部材をスライドさせることができる。この結果、テープカートリッジ用ドア部材とケース本体との間に生じるスライド抵抗を十分に小さく抑えることができる。また、ばねレートが小さい付勢手段を採用するのとは異なり、付勢手段によるテープカートリッジ用ドア部材の付勢力が過小となる事態を回避することができるため、テープカートリッジを記録再生装置から取り出した常態において、テープカートリッジ用ドア部材によって開口部を確実に閉塞できる結果、塵埃の侵入を確実に回避することができる。
【００１１】
また、本発明に係るテープカートリッジ用ドア部材およびテープカートリッジによれば、ドア本体における他方の側端面における高さ方向の中央部（付勢手段取付部が配設されている側と同じ高さの部位）が付勢手段による付勢の方向に沿って最も突出するようにスライド手段当接部を形成したことにより、このテープカートリッジ用ドア部材を採用したテープカートリッジを記録再生装置に装填した際に、テープカートリッジ用ドア部材が、スライド手段当接部の中央部に操作突起が当接した状態でスライドさせられる。したがって、ケース本体に対して傾かせることなく、テープカートリッジ用ドア部材をスライドさせることができる。この結果、テープカートリッジ用ドア部材とケース本体との間に生じるスライド抵抗を十分に小さく抑えることができる。また、ばねレートが小さい付勢手段を採用するのとは異なり、付勢手段によるテープカートリッジ用ドア部材の付勢力が過小となる事態を回避することができるため、テープカートリッジを記録再生装置から取り出した常態において、テープカートリッジ用ドア部材によって開口部を確実に閉塞できる結果、塵埃の侵入を確実に回避することができる。
【発明を実施するための最良の形態】
【００１２】
以下、添付図面を参照して、本発明に係るテープカートリッジ用ドア部材およびテープカートリッジの最良の形態について説明する。
【００１３】
最初に、テープカートリッジ１の構成について、図面を参照して説明する。
【００１４】
テープカートリッジ１は、例えば電子計算機の主記録媒体（ＨＤＤ等）に記録されている記録データのバックアップメディアとして使用される１リールタイプのカートリッジ式磁気記録媒体であって、図１に示すように、ケース本体２、テープリール３、ロック部材４、スプリング５、ブレーキ解除板６、テープカートリッジ用ドア部材（以下、「ドア部材」ともいう）７、ばね部材８およびピン部材９を備えている。なお、実際には、テープリール３に磁気テープが巻回されているが、本発明についての理解を容易とするために、その図示を省略する。また、ロック部材４、スプリング５、ブレーキ解除板６およびピン部材９についても、本発明についての理解を容易とするために、その詳細な説明を省略する。
【００１５】
ケース本体２は、互いに重ね合わせ可能に浅皿状に形成された上ケース１１および下ケース１２を備えて、重ね合わせ状態において形成される箱体の内部空間にテープリール３を回転可能に収容する。上ケース１１は、方形の天板と、天板の四辺に立設された４つの側板と、ケース本体２内にテープリール３の収容区画を形成する円弧状の隔壁（図示せず）とが射出成形によって一体成形されている。この場合、上ケース１１の側板の１つには、テープリール３に巻回されている磁気テープをケース本体２の外部に引き出すためのテープ引き出し口２ａ（本発明における開口部）を形成する切り欠き１３が形成されている。また、上ケース１１には、側板と、側板に対向する隔壁（図示せず）とにより、閉塞位置（テープ引き出し口２ａを閉塞する位置）および開口位置（テープ引き出し口２ａを開口する位置）の間でドア部材７をスライドさせる案内溝１４が形成されている。さらに、上ケース１１における天板の内面中央部には、ロック部材４の上下動を許容しつつ、その回動を規制する４本のガイド突起（図示せず）が立設されている。
【００１６】
下ケース１２は、図１に示すように、底板と、底板の四辺に立設された４つの側板と、上ケース１１の各隔壁と相俟ってテープリール３の収容区画を形成する３つの隔壁とが射出成形によって一体成形されている。この場合、下ケース１２における側板の１つには、上ケース１１の切り欠き１３と相俟ってテープ引き出し口２ａを形成する切り欠き１５が形成されている。また、下ケース１２には、側板および隔壁によって、閉塞位置および開口位置の間でドア部材７をスライドさせる案内溝１６が形成されている。さらに、下ケース１２の底板には、記録再生装置の駆動用シャフト（図示せず）を挿通可能とする円形の挿通用孔１７が形成されている。
【００１７】
テープリール３は、ハブ２１、上フランジ２２および下フランジ２３を備えている。ハブ２１は、その周囲に磁気テープを巻回可能な有底円筒状に形成されて、その下端部に下フランジ２３が一体成形されている。また、ハブ２１には、ロック部材４と噛合可能な歯部がその底板内面に形成されると共に、記録再生装置の駆動用シャフトがテープリール３を磁力によってロックするための金属板２１ａがその底板外面に取り付けられる。さらに、ハブ２１の底板には、ブレーキ解除板６を上下動可能に取り付けるための３つの挿通用孔が形成されている。また、ハブ２１には、記録再生装置における駆動用シャフトの駆動用歯部と噛合可能な駆動用歯部がその底板外面に金属板２１ａを囲むように形成されている。上フランジ２２は、ロック部材４およびブレーキ解除板６の挿通を可能とする円形の挿通孔がその中心部に形成されて、ハブ２１の上端部に超音波溶着されている。
【００１８】
ドア部材７は、図２，３に示すように、ドア本体３１、取付部３２および当接部３３が樹脂材料で一体成形されて、図４〜６に示すように、ケース本体２の側壁に沿って（案内溝１４，１６の案内に従って）スライド可能にばね部材８と共にケース本体２に取り付けられる。具体的には、ドア部材７は、上ケース１１の案内溝１４および下ケース１２の案内溝１６によって形成される極く狭い空間内にばね部材８と共に収納されて、記録再生装置（図示せず）から取り出されている常態では、図４に示すように、ばね部材８によって矢印Ａの向きに付勢されてテープ引き出し口２ａを閉塞する閉塞位置にスライドさせられている。また、ドア部材７は、テープカートリッジ１が記録再生装置に装填された際には、記録再生装置によって矢印Ｂの向きにスライドさせられて、図６に示すように、テープ引き出し口２ａを開口する開口位置までスライドさせられる。この場合、図２，３に示すように、ドア本体３１は、テープ引き出し口２ａを閉塞可能な平板状（薄板状）に形成されて、その上端面および下端面には、ケース本体２に対する接触面積を小さくして摺動抵抗（スライド抵抗）を軽減するための凸部３１ｃ，３１ｃが形成されている。
【００１９】
取付部３２は、本発明における付勢手段取付部に相当し、図２，３に示すように、ドア本体３１と同じ厚みで平板状に形成されて、ドア本体３１の側端面３１ａ（本発明における一方の側端面）における高さ方向の上側に延設されている（本発明における「いずれかの側」が上側の例）。また、取付部３２には、ばね部材８の先端部８ｃ（図４〜６参照）を挿入するための挿入穴３２ａが形成されている。当接部３３は、本発明におけるスライド手段当接部に相当し、テープカートリッジ１が記録再生装置に装填された際に、装置内に配設されている操作突起１００（ドア開放用部材：本発明におけるスライド手段の一例：図３参照）が当接可能にドア本体３１における側端面３１ｂ（本発明における他方の側端面）に延設されている。この場合、図３に示すように、当接部３３には、ばね部材８による付勢の方向（同図における矢印Ａの向き）に沿って（言い替えれば、ばね部材８による付勢の方向に対して）最も突出する突出部３３ａが側端面３１ｂにおける高さ方向の上側に形成されている（本発明における高さ方向の上側が最も突出するように形成した例）。したがって、テープカートリッジ１を記録再生装置に装填した際には、後述するように、当接部３３の突出部３３ａに操作突起１００が当接した状態で記録再生装置に対してケース本体２が移動させられて、ドア部材７はケース本体２の側壁に沿ってスライドさせられる。
【００２０】
ばね部材８は、本発明における付勢手段の一例であって、図１に示すように、コイル部８ａ，８ａを有するねじりコイルばね（トーションばね）で構成されている。また、図４に示すように、ばね部材８は、その先端部８ｂが下ケース１２における案内溝１６内のストッパ１６ａに当接させられると共に（ドア部材７の高さ方向における下側に位置させられると共に）、その右側の先端部８ｃがドア部材７の取付部３２に装着されて（ドア部材７の高さ方向における上側に位置させられて）、ドア部材７を閉塞位置に向けて付勢する。
【００２１】
次に、テープカートリッジ１の使用方法について、図面を参照して説明する。
【００２２】
テープカートリッジ１では、図４に示すように、記録再生装置から取り出されている常態において、ドア部材７は、ばね部材８によって付勢されることで、閉塞位置にスライドさせられてテープ引き出し口２ａを閉塞している。この場合、このテープカートリッジ１では、ドア部材７の高さ方向における上側に取付部３２を配設しているため、ドア本体３１には、ばね部材８によって図４に示す矢印Ｃの向きに回動させられようとする力が加えられている。
【００２３】
一方、テープカートリッジ１の使用（磁気テープに対する記録データの記録再生）に際しては、記録再生装置にテープカートリッジ１を装填する。この際には、記録再生装置のカートリッジ挿入口に、図４に示す矢印Ａの向きでテープカートリッジ１を押し込むことにより、記録再生装置によってテープカートリッジ１が装置内に引き込まれる。この際に、記録再生装置に対するテープカートリッジ１の移動に伴い、まず、ドア部材７の当接部３３が装置内の操作突起１００（図３参照）に当接する。この場合、このテープカートリッジ１のドア部材７には、突出部３３ａがドア本体７（当接部３３）の高さ方向における上側に形成されている。したがって、記録再生装置に対するケース本体２の移動に伴って、この突出部３３ａが操作突起１００に最初に当接する。次いで、この状態においてテープカートリッジ１がさらに引き込まれたときには、操作突起１００に突出部３３ａが当接している状態のドア部材７の移動が規制されて、ケース本体２、およびケース本体２の中に収容されたドア部材７を除くテープリール３等だけが記録再生装置に対して移動させられる（装置内に引き込まれる）。この結果、ドア部材７がケース本体２に対して矢印Ｂの向きに相対的にスライドさせられる。
【００２４】
この場合、このドア部材７では、突出部３３ａが当接部３３における高さ方向の上側（取付部３２が形成されている側と同じ側）に形成されている。したがって、操作突起１００に突出部３３ａが当接した状態でケース本体２が移動させられることによってばね部材８が弾性変形した際には、ドア本体３１を矢印Ｄの向きに回動させようとする力が作用する。この結果、ドア部材７を矢印Ｃの向きに回動させようとする力が弱くなる（または、相殺される）。したがって、図５に示すように、ドア部材７は、ケース本体２に対して大きく傾くことなく、案内溝１４，１６の案内に従って開口位置に向けてスライドさせられて、図６に示すように、開口位置までスライドさせられた際に、テープ引き出し口２ａを開口する。この後、テープローディング機構によってケース本体２内からテープ引き出し口２ａを介して磁気テープが引き出された後に、磁気テープに対する記録データの記録再生が実行される。
【００２５】
この場合、例えば、操作突起に当接する部位が平坦に形成された当接部３３ｘを有するドア部材７ｘ（図７参照）をスライドさせる際に、当接部３３ｘに対する操作突起の当接位置によってドア部材７ｘのスライドに要する力が相違する。具体的には、当接部３３ｘにおける高さ方向の上側（図７に矢印Ｘ１で指し示す部位）に操作突起が当接した状態でドア部材７ｘがケース本体２に対して相対的にスライドさせられたときには、ドア部材７ｘのスライドに要する力の最大値（閉塞位置から開口位置までスライドする間において要した力のうちの最大値）が０．９２Ｎ程度となる。一方、当接部３３ｘにおける高さ方向の中央部（図７の矢印Ｘ２で指し示す部位）に操作突起が当接した状態でドア部材７ｘがケース本体２に対して相対的にスライドさせられたときには、ドア部材７ｘがケース本体２に対して僅かに傾いた状態でスライドさせられる。このため、ドア部材７ｘのスライドに要する力の最大値が０．９７Ｎ程度と、やや大きくなる。また、例えば、当接部３３ｘにおける高さ方向の下側（図７の矢印Ｘ３で指し示す部位）に操作突起が当接した状態でドア部材７ｘがケース本体２に相対的にスライドさせられたときには、ドア部材７ｘがケース本体２に対して大きく傾いた状態でスライドさせられる。このため、ドア部材７ｘのスライドに要する力の最大値が１．０５Ｎ程度と非常に大きくなる。したがって、上記のドア部材７のように、取付部３２を形成した側（この例では、ドア部材７の高さ方向における上側）と同じ側に突出部３３ａを形成して、当接部３３における高さ方向の上側（図３に矢印Ｘ１で指し示す部位）に操作突起を当接させた状態でスライドさせるように構成することで、ドア部材７のスライドに要する力を十分に小さくできるのが理解できる。
【００２６】
一方、記録再生装置からのテープカートリッジ１の取り出しに際しては、まず、磁気テープがテープローディング機構によってケース本体２内に巻き戻される。次いで、テープカートリッジ１が記録再生装置外に排出される際に、記録再生装置に対するケース本体２の移動に伴い、ドア部材７は、ばね部材８によって付勢されているため、ケース本体２に対して相対的にスライドさせられる。したがって、テープ引き出し口２ａが、図４に示すように閉塞される。これにより、ケース本体２内の磁気テープに対するアクセスが規制されて磁気テープが保護される。この場合、ドア部材７が開口位置（図６に示す状態）から閉塞位置（図４に示す状態）までスライドさせられる際にも、取付部３２および突出部３３ａの双方がドア部材７の高さ方向における上側に形成されているため、ケース本体２に対するドア部材７の回動（傾き）が回避される。したがって、閉塞位置から開口位置までのスライド時と同様にして、ドア部材７は、ケース本体２に対して大きく傾くことなく、スムーズにスライドさせられる。
【００２７】
このように、このテープカートリッジ１では、側端面３１ｂにおける高さ方向の上側（取付部３２が配設されている側と同じ側）がばね部材８による付勢の方向に沿って最も突出するように突出部３３ａを形成して当接部３３を構成したことにより、テープカートリッジ１を記録再生装置に装填した際に、ドア部材７が、突出部３３ａに操作突起１００が当接した状態でスライドさせられる。したがって、ばね部材８によって加えられているドア部材７を回転させようとする力が、ケース本体２の移動に伴ってドア部材７に加わる力によって弱められて（または、相殺されて）、ケース本体２に対して大きく傾かせることなく、ドア部材７をスライドさせることができる。この結果、ドア部材７とケース本体２との間に生じるスライド抵抗を十分に小さく抑えることができる。また、ばねレートが小さいばね部材を採用するのとは異なり、ばね部材８によるドア部材７の付勢力が過小となる事態を回避することができるため、テープカートリッジ１を記録再生装置から取り出した常態において、ドア部材７によってテープ引き出し口２ａを確実に閉塞できる結果、塵埃の侵入を確実に回避することができる。
【００２８】
なお、本発明は、上記の構成に限定されず、適宜変更が可能である。例えば、上記のテープカートリッジ１では、側面視が「く」字状となるように当接部３３を形成することで突出部３３ａを形成したドア部材７が採用されているが、本発明における「最も突出する部位」の形成位置はこれに限定されず、図８に示すドア部材７Ａのように、ドア本体３１の下端面および上端面に対して垂直な（ドア本体３１の側端面３１ｂと平行な）当接部５３に半円状の突出部５３ａを形成することで、ばね部材８による付勢の方向（同図に示す矢印Ａの向き）に最も突出するように形成することもできる。なお、同図および図９〜１１において、前述したドア部材７と共通する構成要素については、共通の符号を付して重複する説明を省略する。また、図９に示すドア部材７Ｂのように、当接部６３をドア本体３１の側端面３１ｂに対して傾斜させることで、その上端部をばね部材８による付勢の方向に最も突出させて突出部６３ａを形成することもできる。これらのドア部材７Ａ，７Ｂによれば、前述したドア部材７を採用した構成と同様にして、ケース本体２に対して大きく傾かせることなく、ドア部材７Ａ，７Ｂをスライドさせることができる。
【００２９】
また、ドア本体３１の高さ方向における上側に取付部３２を形成する例について上記したが、本発明はこれに限定されず、図１０に示すドア部材７Ｃのように、ドア本体３１の高さ方向における下側に取付部３２を形成することもできる。この場合、このドア部材７Ｃは、その先端部８ｂが上ケース１１における案内溝１４内のストッパ（図示せず）に当接させられた（ドア部材７Ｃの高さ方向における上側に位置させられた）ばね部材８によって矢印Ａの向きに付勢される。このドア部材７Ｃによれば、当接部７３における突出部７３ａをドア本体３１の高さ方向の下側に形成することで、上記のドア部材７，７Ａ，７Ｂと同様にして、ケース本体２に対して大きく傾かせることなく、ドア部材７Ｃをスライドさせることができる。さらに、図１１に示すドア部材７Ｄのように、ドア本体３１の高さ方向における中央部に取付部８２を形成することもできる。この場合、このドア部材７Ｃは、その先端部が下ケース１２における側壁の口縁部に固定された（ドア部材７Ｃの高さ方向における中央部に位置させられた）ばね部材８Ｄによって矢印Ａの向きに付勢される。このドア部材７Ｄによれば、当接部８３における突出部８３ａをドア本体３１の高さ方向の中央部に形成することで、ドア部材７Ｃを矢印Ｅ１，Ｅ２の向きに回動させることなく（ケース本体２に対して傾かせることなく）スライドさせることができる。
【００３０】
加えて、本発明における付勢手段は、ばね部材８のようなねじりコイルばねに限定されず、図１１に示すばね部材８Ｄのようなコイルスプリングや、板ばね（図示せず）を採用することができる。また、特開平１１−３２８９２２号公報の図６に図示されているばね部材２０のように、その両方の端部がシャッタ５（ドア部材）の高さ方向における下側および上側のいずれかの側に位置するようなねじりコイルばねを採用することもできる。
【図面の簡単な説明】
【００３１】
【図１】テープカートリッジ１の分解斜視図である。
【図２】テープカートリッジ１におけるドア部材７の外観斜視図である。
【図３】ドア部材７の側面図である。
【図４】ドア部材７が閉塞位置に位置している状態のテープカートリッジ１の側面図である。
【図５】図４に示す状態のドア部材７を開口位置に向けてスライドさせている状態のテープカートリッジ１の側面図である。
【図６】ドア部材７が開口位置に位置している状態のテープカートリッジ１の側面図である。
【図７】ドア部材７ｘの当接部３３ｘに対する操作突起の当接位置を示す側面図である。
【図８】ドア部材７Ａの側面図である。
【図９】ドア部材７Ｂの側面図である。
【図１０】ドア部材７Ｃの側面図である。
【図１１】ドア部材７Ｄの側面図である。
【符号の説明】
【００３２】
１  テープカートリッジ
２  ケース本体
２ａ  テープ引き出し口
７，７Ａ〜７Ｄ  ドア部材
８，８Ｄ  ばね部材
１１  上ケース
１２  下ケース
３１  ドア本体
３１ａ，３１ｂ  側端面
３２，８２  取付部
３３，５３，６３，７３，８３  当接部
３３ａ，５３ａ，６３ａ，７３ａ，８３ａ  突出部
【図１】
2005346854.tif 000003
【図２】
2005346854.tif 000004
【図３】
2005346854.tif 000005
【図４】
2005346854.tif 000006
【図５】
2005346854.tif 000007
【図６】
2005346854.tif 000008
【図７】
2005346854.tif 000009
【図８】
2005346854.tif 000010
【図９】
2005346854.tif 000011
【図１０】
2005346854.tif 000012
【図１１】
2005346854.tif 000013